(57)【特許請求の範囲】
【請求項１】
パッシブ光ネットワークが、
トランク回線と、
遠隔ノードと、
前記遠隔ノードに接続された複数の第１のリーフノードと、
を備え、
前記複数の第１のリーフノードのうちの１つは、前記トランク回線を介して受信した信号に対しベースバンド処理を実行して、光ファイバ無線信号を生成することによって光ファイバ無線への変換を実行し、結果として得られた光ファイバ無線信号を前記遠隔ノードに転送するための第１のベースバンド処理ユニットを備え、
前記遠隔ノードは前記第１のリーフノードから受信した前記光ファイバ無線信号を前記パッシブ光ネットワークの前記複数の第１のリーフノードのうちの他の第１のリーフノードに転送するように構成される、パッシブ光ネットワーク（ＰＯＮ）において光ファイバ無線（ＲｏＦ）送信を実施するシステム。
【請求項２】
前記他の第１のリーフノードのうちの１つ又は複数は、前記受信した光ファイバ無線信号を無線信号として送信するための遠隔無線ヘッドを備える、請求項１に記載のシステム。
【請求項３】
前記複数の第１のリーフノードのうちの前記１つによって前記トランク回線を介して受信された前記信号は、移動ネットワークオペレータの前記コアネットワークから受信された信号である、請求項１又は２に記載のシステム。
【請求項４】
前記トランク回線を介して受信される前記信号はＳ１信号である、請求項３に記載のシステム。
【請求項５】
前記複数の第１のリーフノードのうちの前記１つにおいて生成される前記光ファイバ無線信号は、前記トランク回線及びリーフ回線の長さを含む距離をカバーするのに適した帯域の外側であるが、１つの第１のリーフノードから前記遠隔ノードを介して別の第１のリーフノードへの距離を含む長さをカバーする範囲の通信をカバーするのに適した帯域内にある波長帯範囲において送信される、請求項１〜４のいずれか１項に記載のシステム。
【請求項６】
前記トランク回線の長さは前記遠隔ノードから第１のリーフノードまでの長さよりも長い、請求項１〜５のいずれか１項に記載のシステム。
【請求項７】
前記パッシブ光ネットワークは固定オペレータと移動オペレータとの間で共有され、それによって
前記固定オペレータは前記ＰＯＮを用いてＦＴＴＨ信号を送信し、
前記移動オペレータは、前記ＰＯＮ、前記遠隔ノード、及び前記第１のリーフノードを用いて信号をそのコアから前記第１のリーフノードのうちの前記１つに送信し、光ファイバ無線信号を該第１のリーフノードのうちの該１つから前記遠隔ノードを介して前記第１のリーフノードのうちの他の第１のリーフノードに送信する、請求項１〜６のいずれか１項に記載のシステム。
【請求項８】
前記ＲｏＦ信号はアナログ形式で送信される、請求項１〜７のいずれか１項に記載のシステム。
【請求項９】
パッシブ光ネットワーク（ＰＯＮ）において光ファイバ無線（ＲｏＦ）送信を実施する請求項１〜７のいずれか１項に記載のシステムと、
前記システムの前記トランク回線に接続された中央局と、
前記中央局に配置された第２のベースバンド処理ユニットと、
前記中央局に接続された複数の第２のリーフノードと、
を備え、
前記複数の第２のリーフノードには遠隔無線ヘッドが配置され、ＲｏＦ信号が前記中央局から前記ＰＯＮの前記第２のリーフノードに送信される、光ファイバ無線（ＲｏＦ）送信を実施するためのシステム。
【請求項１０】
ＲｏＦ信号を用いて前記中央局から到達可能なエリアをカバーするのに前記第２のベースバンド処理ユニットが用いられ、
ＲｏＦ信号を用いて前記中央局から到達可能でないエリアをカバーするのに前記第１のベースバンド処理ユニットが用いられる、請求項９に記載のシステム。
【請求項１１】
パッシブ光ネットワーク（ＰＯＮ）において光ファイバ無線（ＲｏＦ）送信を実施するための方法であって、前記パッシブ光ネットワークは、
トランク回線と、
遠隔ノードと、
前記遠隔ノードに接続された複数の第１のリーフノードと、
を備え、該方法は、
前記複数の第１のリーフノードのうちの１つの第１のベースバンド処理ユニットにおいて、前記トランク回線を介して受信した信号に対しベースバンド処理を実行するステップであって、光ファイバ無線信号を生成することによって光ファイバ無線への変換を実行するものである、ベースバンド処理を実行するステップと、
結果として得られた光ファイバ無線信号を前記遠隔ノードに転送するステップと、
前記遠隔ノードによって前記少なくとも１つの第１のリーフノードから受信した前記光ファイバ無線信号を前記パッシブ光ネットワークの他の第１のリーフノードに転送するステップと、を含む、パッシブ光ネットワークにおいて光ファイバ無線送信を実施するための方法。
【請求項１２】
前記他の第１のリーフノードのうちの１つ又は複数は、前記受信した光ファイバ無線信号を無線信号として送信するための遠隔無線ヘッドを備える、請求項１１に記載の方法。
【請求項１３】
前記複数の第１のリーフノードのうちの前記１つによって前記トランク回線を介して受信された前記信号は、移動ネットワークオペレータの前記コアネットワークから受信された信号である、請求項１１又は１２に記載の方法。
【請求項１４】
請求項１〜１０のいずれか１項に記載のシステムにおいて実行される、請求項１１〜１３のいずれか１項に記載の方法。
【発明の詳細な説明】
【技術分野】
【０００１】
本発明は、パッシブ光ネットワーク（ＰＯＮ）において光ファイバ無線(radio over fiber)（ＲｏＦ）送信を実施するためのシステム及び方法に関する。
【背景技術】
【０００２】
パッシブ光ネットワーク（ＰＯＮ）は、「光回線終端装置(Optical Line Terminal) ＯＬＴ」と呼ばれる中央局エンティティを、最大で数十ｋｍの距離を介して「光ネットワークユニットＯＮＵ」と呼ばれる顧客構内機器と接続するアクセスネットワーク技術である。デバイスは、ツリー構造で展開される光ファイバによって接続される。光ファイバは高帯域幅を提供し、多数の顧客に既に展開されているので、ＰＯＮは現在のところアクセスネットワーク共有の候補とみなされている。
【０００３】
（アクセス）ネットワーク共有は、異なるオペレータ（事業者）、例えば移動オペレータ及び固定オペレータがネットワークの「ラストマイル」を共同で用いることを可能にするパラダイムである。固定オペレータはこのアクセス部を用いて自身の顧客に直接アタッチ(attach)するのに対し、移動オペレータはこのアクセスを用いて基地局に接続する。アクセスネットワーク共有において、２つのネットワークが同じハードウェア（すなわちデバイス及び物理リンク）上で実行されることになるが、論理的に分離されることになる。
【０００４】
光ファイバ無線（ＲｏＦ）は、基地局の設計及び展開において広く用いられている技術であり、ベースバンド処理ユニット（ＢＢＵ）は、光リンクを介して無線機器に接続され、この無線機器を介してアンテナに接続される。ＢＢＵは移動オペレータのコアネットワークから信号、例えばＬＴＥネットワークの場合は発展型パケットコアＥＰＣ  Ｓ１信号を受信し、それらの信号をＲｏＦ信号に変換し、これらの信号は光リンクを介して無線機器／アンテナユニット（以下のセクションでは遠隔無線ヘッドと呼ばれる）に送信され、無線機器／アンテナユニットにおいてこれらの信号は無線チャネル上に変調される。
【０００５】
遠隔無線ヘッドごとに１つのＢＢＵが提供される場合、ハードウェアコストは大きい。したがって、１つのＢＢＵが幾つかの遠隔無線ヘッドにサービス提供するようにベースバンド処理リソースが「プール」される手法を用いることが望ましい。これは、ＲｏＦ信号が送信されるネットワークが固定ネットワークオペレータと共有される場合、また更に好ましい。
【０００６】
次に、そのようなシナリオを以下で幾分より詳細に説明する。
【０００７】
光ファイバ無線は、光ファイバを介した無線レイヤ信号のデジタル化された送信又はアナログ送信である。デジタル光ファイバ無線は大量の大域幅を必要とし、Ｓ１トラフィックの１０倍〜３０倍のバイトが必要である。このため、（ＬＴＥ−Ａの場合）それぞれ１ＧｂｐｓのＳ１トラフィックを有する３つのセルを有する通常のサイトが、６０Ｇｂｐｓ〜７０ＧｂｐｓのＲｏＦ容量を必要とする可能性がある。この大量の帯域幅を（共有）ＰＯＮシステムに適合させるのは困難である。今日の市場において現在のところ最も進化したＴＤＭ  ＰＯＮシステムは１０Ｇｂｐｓをサポートし、これがＰＯＮの全てのユーザ間で共有される。ＷＤＭ  ＰＯＮシステムはより高い帯域幅をサポートする場合があるが、単一ユーザに対し６０Ｇｂｐｓ〜７０Ｇｂｐｓを近い未来にサポートすることができるか否かは疑わしい。
【０００８】
１つの代替案は、共有ＰＯＮにおいてＣＷＤＭ又はＤＷＤＭ（粗／密波長分割多重）のような高容量の長距離技術によりデジタルＲｏＦ信号を多重化することである。しかしながら、双方のシステムが以下の欠点を有する。ＣＷＤＭは安価であるが多くの光スペクトルを用い、そのスペクトルは既に異なるＦＴＴＨシステムによって占有されている場合がある。ＤＷＤＭは少ない量のスペクトルしか必要としないが、非常にコストが高い。
【０００９】
別の代替案はアナログＲｏＦであるが、送信距離がファイバの歪み及び非線形性によって制限されるので短い距離でしか機能しない。同時に、ファイバトゥザホームコミュニティにおいて、光到達距離の長いアクセスネットワークを作成する傾向がある。これは、中央局の量を削減することができ、これによってＣＡＰＥＸ及びＯＰＥＸが節減されるので有利である。
【００１０】
アクセスネットワーク共有及びＲｏＦに目を向けると、この傾向が問題となっていることが明らかとなる。すなわち、ＦＴＴＨオペレータの目標は、コスト節減の理由で中央ロケーションからのますます大きなエリアをカバーすることであるが、移動オペレータは集中型のベースバンドプール及びアナログＲｏＦではエリアの一部しかカバーすることができない。このため、カバレッジエリアは同じでなく、移動オペレータは（中央局からのＲｏＦ信号の送信が可能でない、少なくともネットワークの周縁部において）ベースバンドプールの利益を有することなく従来の基地局技術を展開することに頼らなくてはならない。
【００１１】
上述したように、高容量長距離デジタル技術は、スペクトル使用及び／又はコストに関する欠点も有する。さらに、（デジタル）ＲｏＦ送信距離は予期せぬ方面からも制限されており、無線レイヤでは、或る特定の無線プロトコルは厳密な制限時間内の応答を必要とする。そのような応答を必要とする無線信号は最初にアンテナに到達し、次にＲｏＦを介してベースバンド処理に送信され、ベースバンド処理においてこの信号は復号され、そのような応答が計算される。この応答は再びＲｏＦを介してアンテナに返送され、次に無線で送出される。この処理及び送信チェーンにおいて、ＲｏＦ信号が運搬されるファイバのキロメートルごとに、純粋な信号伝播遅延に起因したレイテンシが付加される一方、無線レイヤ標準規格によって全体時間が制限されている。
【００１２】
ベースバンドプール及び／又はネットワーク共有のための３つの既知の手法が図１に示されている。（図１の左側に示される）第１の手法は、アナログＲｏＦ又はデジタルＲｏＦを用いたＰＯＮの中央局ロケーションにおける集中型ベースバンドプールである。これは上記で概説した制限を有する。（図１の中央に示される）第２の解決策は分散型ベースバンド処理であり、この処理では、パッシブ光ネットワークに接続された各ユニットが完全な基地局である。明らかに、この手法はベースバンドプール利得の実現を可能にせず、ネットワーク共有しか達成することができない。
【００１３】
（図１の右側に示す）最後の既知の解決策は、ベースバンド処理ユニットがリーフノードのうちの１つに接続され、そのリーフノードに他のリーフノードの遠隔無線ヘッドが専用ネットワークを介して接続されるというものである。ここで、ＰＯＮツリーのトランクの長さは問題とならないが、移動オペレータは遠隔無線ヘッドにアタッチするのに新たなファイバを展開しなくてはならず、このためネットワーク共有利得を実現することができない。
【発明の概要】
【発明が解決しようとする課題】
【００１４】
したがって、ＰＯＮが長距離をカバーする場合であっても、ベースバンドプール利得及びネットワーク共有利得を同時に達成することができるシステムを有することが望ましい。既存の解決策はいずれもそのような機能を有していない。
【課題を解決するための手段】
【００１５】
１つの実施の形態によれば、パッシブ光ネットワーク（ＰＯＮ）において光ファイバ無線（ＲｏＦ）送信を実施するためのシステムであって、前記パッシブ光ネットワークは、
トランク回線と、
遠隔ノードと、
前記遠隔ノードに接続された複数のリーフノードと、
を備え、
前記複数のリーフノードのうちの１つは、前記トランク回線を介して受信した信号に対しベースバンド処理を実行して、光ファイバ無線信号を生成することによって光ファイバ無線への変換を実行し、結果として得られた光ファイバ無線信号を前記遠隔ノードに転送するためのベースバンド処理ユニットを備え、
前記遠隔ノードは前記リーフノードから受信した前記光ファイバ無線信号を前記パッシブ光ネットワークの他のリーフノードに転送するように構成される、パッシブ光ネットワークにおいて光ファイバ無線送信を実施するためのシステムが提供される。
【００１６】
そのような構成によって、ベースバンドプール利得を達成することができ、固定ネットワークオペレータと移動ネットワークオペレータとの間でＰＯＮを共有することができる。
【００１７】
１つの実施の形態によれば、前記他のリーフノードのうちの１つ又は複数は、前記受信した光ファイバ無線信号を無線信号として送信するための遠隔無線ヘッドを備える。
【００１８】
これによって、基地局を置き換えることによって遠隔無線ヘッドを通じてベースバンドプール利得の使用が可能になる。
【００１９】
１つの実施の形態によれば、前記複数のリーフノードのうちの前記１つによって前記トランク回線を介して受信された前記信号は、移動ネットワークオペレータの前記コアネットワークから受信された信号である。
【００２０】
これによって、移動ネットワークオペレータによるシステムの使用が可能になる。
【００２１】
１つの実施の形態によれば、前記トランク回線を介して受信される前記信号はＳ１信号である。
これはＬＴＥネットワークの場合の特定の実施態様である。
【００２２】
１つの実施の形態によれば、前記複数のリーフノードのうちの前記１つにおいて生成される前記光ファイバ無線信号は、前記トランク回線及びリーフ回線の長さを含む距離をカバーするのに適した帯域の外側であるが、１つのリーフノードから前記遠隔ノードを介して別のリーフノードへの距離を含む長さをカバーする範囲の通信をカバーするのに適した帯域内にある波長帯範囲において送信される。
【００２３】
これは光周波数リソースの効率的な使用を可能にする。
【００２４】
１つの実施の形態によれば、前記トランク回線の長さは前記遠隔ノードからリーフノードまでの長さよりも長い。
【００２５】
これは、本発明によるシステムの使用が長距離トランク回線をカバーするのに有利である特定の構成である。
【００２６】
１つの実施の形態によれば、前記パッシブ光ネットワークは固定オペレータと移動オペレータとの間で共有され、それによって
前記固定オペレータは前記ＰＯＮを用いてＦＴＴＨ信号を送信し、
前記移動オペレータは、前記ＰＯＮ、前記遠隔ノード、及び前記リーフノードを用いて信号をそのコアから前記リーフノードのうちの前記１つに送信し、光ファイバ無線信号を該リーフノードのうちの該１つから前記遠隔ノードを介して前記リーフノードのうちの他のリーフノードに送信する。
【００２７】
これはアクセスネットワーク共有に有利な実施態様である。
【００２８】
１つの実施の形態によれば、前記ＲｏＦ信号はアナログ形式で送信される。
これはコスト効率のよい実施態様を可能にする。
【００２９】
１つの実施の形態によれば、光ファイバ無線（ＲｏＦ）送信を実施するためのシステムであって、該システムは、
本発明の１つの実施の形態による１つ又は複数の第１のシステムと、
ＲｏＦ送信を実施するための１つ又は複数の第２のシステムと、を備え、
ベースバンド処理ユニットが前記光回線終端装置に配置され、遠隔無線ヘッドがＰＯＮリーフノードに配置され、前記ＲｏＦ信号は前記光回線終端装置から前記ＰＯＮの前記トランク回線及び前記リーフ回線を介して前記リーフノードに送信される、光ファイバ無線送信を実施するためのシステムが提供される。
【００３０】
これはＲｏＦ送信の２つの特色（flavour）による広域カバレッジを可能にする。
【００３１】
１つの実施の形態によれば、前記光回線終端装置からより離れたエリアをカバーするのに前記１つ又は複数の第１のシステムが用いられ、
前記光回線終端装置からより離れていないエリアをカバーするのに前記１つ又は複数の第２のシステムが用いられる。
【００３２】
これは広域カバレッジの場合の特定の実施態様である。
【００３３】
１つの実施の形態によれば、パッシブ光ネットワーク（ＰＯＮ）において光ファイバ無線（ＲｏＦ）送信を実施するための方法であって、前記パッシブ光ネットワークは、
トランク回線と、
遠隔ノードと、
前記遠隔ノードに接続された複数のリーフノードと、
を備え、該方法は、
前記複数のリーフノードのうちの１つのベースバンド処理ユニットにおいて、前記トランク回線を介して受信した信号に対しベースバンド処理を実行するステップであって、光ファイバ無線信号を生成することによって光ファイバ無線への変換を実行する、ベースバンド処理を実行するステップと、
結果として得られた光ファイバ無線信号を前記遠隔ノードに転送するステップと、
前記遠隔ノードによって前記少なくとも１つのリーフノードから受信した前記光ファイバ無線信号を第２のパッシブ光ネットワークの他のリーフノードに転送するステップと、
を含む、パッシブ光ネットワークにおいて光ファイバ無線送信を実施するための方法が提供される。
【００３４】
これは本発明の一実施形態による方法の実施態様である。
【図面の簡単な説明】
【００３５】
【図１】ＰＯＮの実施態様の３つの異なる手法を概略的に示す図である。
【図２】複数のＰＯＮが中央局に接続される構造を概略的に示す図である。
【図３】本発明の一実施形態による、複数のＰＯＮが中央局に接続される構造を概略的に示す図である。
【図４】本発明の一実施形態によるシステムを概略的に示す図である。
【図５】本発明の一実施形態による周波数割り当てを概略的に示す図である。
【図６】本発明の一実施形態による遠隔ノードを概略的に示す図である。
【図７】本発明の一実施形態によるシステムを概略的に示す図である。
【発明を実施するための形態】
【００３６】
１つの実施形態によれば、固定オペレータと移動オペレータとの間でアクセスネットワークを共有するためのシステムであって、光ファイバ無線技術を用いることによってオペレータがベースバンド処理プール利得を実現することができるシステムが提案される。このために、パッシブ光ネットワークの特別に設計された遠隔ノードが用いられ、この遠隔ノードは第１のＰＯＮリーフノードと他のＰＯＮリーフノードとの間の信号パスを作成することが可能である。この機能を有するそのような遠隔ノードは、異なる文脈において、引用することにより本明細書の一部をなすものとする、本出願と同じ出願人によって出願された「System for interconnecting nodes attached to a passive optical network」と題する欧州特許出願第１１１８２７４５．７号において記載されている。この出願において、ＰＯＮの１つのリーフノードから受信したＲｏＦ信号を他のリーフノードに転送することができるそのような特定の遠隔ノードの構成の詳細を得ることができる。この特定の遠隔ノードを用いて、ＰＯＮリーフノードの第１のリーフノードにベースバンド処理ユニットを設置(install)することができ、他のＰＯＮリーフノードに遠隔無線ヘッドを設置することができる。次に、ＰＯＮリーフの第１のリーフはＰＯＮを介してＳ１信号を受信し、ベースバンド処理を実行してＲｏＦ信号を生成し、次に、このＲｏＦ信号を特定の遠隔ノードを介してＰＯＮの他のリーフノードに転送することができる。この特定の遠隔ノードは、ＲｏＦ信号をＰＯＮの他のリーフノードに転送するか又は宛てることができる。
【００３７】
これは、フィーダファイバ（ＰＯＮツリーのトランク）が非常に長くなり、このため適切な送信機器の減衰が大きくなるか又はコストが高いことに起因して光ファイバ無線（ＲｏＦ）送信が困難又は不可能である場合に特に有利である。このとき、長距離は低帯域幅Ｓ１信号によってカバーされ、高帯域幅信号又はアナログＲｏＦ信号は、遠隔ノードとリーフノードとの間の（比較的短い）距離さえカバーすればよい。
【００３８】
これは、アクセスネットワークが固定オペレータと移動オペレータとの間で共有され、かつ共有されるＰＯＮのフィーダが長い場合に、プールされたベースバンド処理を実施することを可能にするシステムである。
【００３９】
まず第１に、この結果、複雑度の高いサイトが少なくなる（遠隔無線ヘッドのみをホスティングするサイトは単純であり、このため安価でありエラーが起こりにくい）。さらに、長距離ＰＯＮを設置する現在の傾向に伴い、固定ファイバトゥザホームネットワークは、従来の（アナログ）ＲｏＦ技術では中央局からＰＯＮリーフまでカバーすることができないか又はデジタルＲｏＦのための高価で高速のデジタル送信機器を必要とする大きなエリアをカバーすることになる。本実施形態は、分散型ベースバンド処理プールを可能にすることによって、この大きなエリアもカバーすることを可能にする。
【００４０】
１つの実施形態によれば、ベースバンド処理ユニットが共有ＰＯＮのリーフノードのうちの１つに配置され、ＢＢＵが遠隔ノードを介して他のＰＯＮリーフノードにＲｏＦ信号を送信することができるように遠隔ノードが特別に変更されるシステムが提供される。このシステムでは、遠隔無線ヘッドがアタッチされ、システムはＰＯＮツリーのトランクが長い場合にもベースバンドプール利得を実現することができる。なぜなら、ＲｏＦ信号はトランクではなくファイバツリーの分岐のみを横切ればよいためである。
【００４１】
これにより、固定オペレータは長いトランク回線を有するファイバトゥザホームネットワーク（長距離ＰＯＮ）を作成することができ、このため中央局の削減を実現する一方で、同時に移動オペレータはベースバンドプール技術が適用される基地局を有するエリアをカバーすることができる。そのようなシステムによるエリアのカバレッジ全体が図２に概略を示されている。灰色のエリアはファイバトゥザホームシステムによるカバレッジを表している。これに加えて、移動オペレータは図２の白い円によって示すように自身のＲｏＦシステムを設置する。
【００４２】
１つの実施形態によれば、図３に示すように、移動オペレータは自身のＲｏＦシステムを２つの特色において設置する。
・ＲｏＦを用いて中央局から到達可能な部分は従来の技術で（すなわち中央局に近いＢＢＵとのＲｏＦ送信を用いて）カバーされることになる。これは灰色の円の中心の破線によって描かれる白い円によって示される。
・カバーされるには中央局から離れすぎているエリアの部分はシステムを用いてカバーされ、このシステムでは、リーフノードのうちの１つにＢＢＵが設置され、ＲｏＦ信号がこのリーフノードから遠隔ノードを介して他のリーフノードに分散される。これは、中心の破線の円を取り囲む周縁部の実線によって描かれる白い円によって示される。
【００４３】
このため、この構成を用いて、固定オペレータ及び移動オペレータは長距離ＰＯＮが存在する場合であっても同じエリアをカバーすることができ、これによって全て同じシステム上でベースバンドプール利得、共有利得、及び中央局統合利得を達成する。
【００４４】
次に、本発明の更なる実施形態を説明する。
【００４５】
本発明の一実施形態の更に詳細な概観を図４において得ることができる。中央局ＣＯ４００をトランク回線４１０、遠隔ノード４２０、及びリーフ回線４３０を介して光リーフノード４４０に接続することによってファイバトゥザホーム（ＦＴＴＨ）インフラストラクチャを実施するためのＰＯＮが示されている。ここで、１つの実施形態によれば、このＦＴＴＨインフラストラクチャはこのインフラストラクチャを用いて光ファイバ無線システムを実施する移動オペレータによって共有される。移動オペレータは、パケット指向型信号、例えばＳ１信号を送達するコアネットワーク４５０（例えば発展型パケットコア、ＥＰＣ）を有し、この信号はその基地局に配信されるべきである。Ｓ１信号はトランク回線４１０とリーフ回線のうちの１つを介してリーフノードのうちの１つに送信される。
【００４６】
ベースバンドプール利得を利用するために、Ｓ１信号を受信するリーフノードにおいてベースバンド処理ユニット（ＢＢＵ）４６０が提供される。次に、ＢＢＵはベースバンド処理を実行し、ＲｏＦ信号を生成する。図４において破線で示されるこのＲｏＦ信号は、次に、ＢＢＵ４６０を備えるリーフノードからリーフ回線４３０を介して遠隔ノード４２０に送信され、そこから、ここでもリーフ回線４３０を介して他のリーフノード４７０に送信される。これらの他のリーフノードは、無線インタフェースを介して無線信号を移動端末に送信するための遠隔無線ヘッドＲＲＨ４７０を設けられる。
【００４７】
したがって、実施形態によれば、ベースバンド処理ユニットはＰＯＮリーフノードのうちの１つに配置され、遠隔無線ヘッドは１つ又は複数の他のＰＯＮリーフノードに配置される。ＰＯＮの遠隔ノード４２０は、ＢＢＵとＲＲＨとの間で双方向チャネルを生成するように変更される。Ｓ１トラフィックは、「通常の」チャネルを介してＰＯＮを通じてＢＢＵに送信され、ＢＢＵにおいてＳ１トラフィックはＲｏＦ信号に変換され、新たに作成された信号パスを用いてＢＢＵとＲＲＨとの間でＲｏＦ信号が交換される。
【００４８】
したがって、リーフノードにおけるＢＢＵは、ＰＯＮリーフノードにおけるベースバンド処理プールを可能にする。遠隔ノードを介して送信されるＲｏＦ信号はベースバンド処理プールを他のリーフノードにおけるＲＲＨと相互接続し、トランク回線はＢＢＵによって実施されるベースバンド処理プールを移動オペレータのコアネットワーク（ＬＴＥネットワークの場合はＥＰＣ）と接続する。
【００４９】
通常の構成において、リーフノードと遠隔ノードとの間の接続は特にトランク回線の長さと比較して相対的に短いので、ＲｏＦ信号はより高い損失で、したがって用いられないスペクトル範囲内で（例えばウォータピーク領域内で）送信される可能性がある。このとき、コアネットワークとＢＢＵとの間の相対的に長い距離は、コアからパケット指向型信号（例えばＳ１信号）を送信することによってカバーされる。したがって、Ｓ１信号を送信するためにのみ低減衰光スペクトルリソースを利用する必要があり、ＲｏＦ信号の送信のために、より高い損失を有するスペクトルの異なる部分が用いられる可能性がある。
【００５０】
さらに、リーフノードと遠隔ノードとの間の接続が十分短い場合、短い距離によって光非線形性が低減するので、ＲｏＦ信号をアナログＲｏＦ信号としても生成及び送信することができる。
【００５１】
ここで、１つの実施形態によれば、ベースバンド処理ユニットは「フルベースバンド処理」を実行する必要がなく、これはベースバンド処理の「一部分」を遠隔無線ヘッドにシフトすることもできることを意味することに言及したい。ベースバンド処理は、基地局によって通常実行されるベースバンド処理を少なくとも部分的に実行する任意の手段によって実施することができ、それによって、ベースバンド処理ユニットによって引き継がれるベースバンド処理の機能を、幾つかの遠隔無線ヘッドに対して１つのユニットによって集中して実行することができ、これにより、遠隔無線ヘッドは、ＢＢＵがそれらのベースバンド処理タスクの少なくとも一部分を引き継ぐので「通常の基地局」よりも複雑でなくなりかつコストが下がることになることに留意されたい。
【００５２】
この実施形態における波長割り当てが図５に概略的に示されている。Ｓ１信号をコアからＢＢＵを有するリーフノードに送信することによって、リソースが制限されているスペクトル範囲において１つの波長のみを用いることが必要であり、この波長は長距離通信（低減衰スペクトル）に用いることができる。リーフノードにおいてＲｏＦ信号を生成し、それによってＲｏＦ信号がリーフノードから遠隔ノード及び他のリーフノードへの（比較的短い）距離しか進まなくてよいようにすることによって、リソースがあまり制限されていない場合に、スペクトルの一部である、より高い減衰を有する波長においてＲｏＦ信号を送信することが可能である。さらに、距離が十分短い場合、ＲｏＦ信号の送信はアナログ形式で行うこともできる。
【００５３】
以下において、図６を参照して、本発明の実施形態と関連して用いることができる遠隔ノードのアーキテクチャのより詳細な図を説明する。このアーキテクチャは、パッシブスプリッタ５３０（ＴＤＭ  ＰＯＮの場合はパワースプリッタ又はＷＤＭ  ＰＯＮの場合は波長スプリッタとすることができる）、２波長帯（デ）マルチプレクサ５００及び５１０、並びに１つのフィルタ５４０からなる。ＢＢＵが配置されたリーフノードからのＲｏＦ信号は波長帯（デ）マルチプレクサ５００に供給されて抽出され、次にこのＲｏＦ信号は他の波長帯（デ）マルチプレクサ５１０に転送され、ここでスプリッタ５３０に供給され、スプリッタ５３０から他のリーフノードに配信される。フィルタ５４０はＢＢＵから受信されるＲｏＦ信号と、スプリッタに供給され、他のリーフノードに配信されるＲｏＦ信号との間の衝突を防ぐ。
【００５４】
このように変更されたスプリッタ５３０は、リーフノードに配置されたＢＢＵから受信したＲｏＦ信号を、ＰＯＮの他のリーフノードにリダイレクトすることができる遠隔ノードを形成する。
【００５５】
そのような変更された遠隔ノードの更により詳細な説明は、異なる文脈であるが、引用することにより本明細書の一部をなすものとする欧州特許出願第１１１８２７４５．７号において得ることができる。
【００５６】
次に、図７に関連して更なる実施形態を説明する。ＲｏＦ送信の２つの異なる特色を用いて移動オペレータによってＰＯＮをどのように用いることができるかが示されている。
【００５７】
ＥＰＣ  ＧＷから、バックホールＳ１  ＩＰトラフィックがコアネットワークを介して中央局に送信される。中央局からリーフノードへの配信が、ＰＯＮを介して２つの異なる方法で行われる。ＰＯＮが短い場合、ベースバンドプールを中央局において実行することができ、ＲｏＦ信号を、ＰＯＮ全体を通じてリーフノード及びそれらの遠隔無線ユニットＲＲＵ又は遠隔無線ヘッドに送信することができる。これは左側のＰＯＮによって示され、中央局におけるＢＢＵからリーフノードへのパス全体が破線によって示され、これにより、ＲｏＦ信号がＰＯＮのトランク回線及びリーフ回線を介して進むことが示される。
【００５８】
ＰＯＮが長い場合、異なる構成が用いられ、Ｓ１トラフィックはＰＯＮのリーフノードに配置されたＢＢＵに進み、ＲｏＦ信号が生成され、遠隔ノードを介して他のリーフノードに宛てられる。これは図７に示す右側のＰＯＮによって示される。
【００５９】
本発明は例示的な実施形態によって説明されてきたが、これらの実施形態は特許請求の範囲から逸脱することなく変更することができることが理解されよう。
【図１】
0005657747.tif 000002
【図２】
0005657747.tif 000003
【図３】
0005657747.tif 000004
【図４】
0005657747.tif 000005
【図５】
0005657747.tif 000006
【図６】
0005657747.tif 000007
【図７】
0005657747.tif 000008